【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
タイヤ用のビードエイペックスを製造するためのドラムセットにおいて、前記ドラムセットは、ドラムを形成すべく、前記ドラムセットの中心軸の周りで分散されている、複数のドラムセグメントを含んでおり、前記ドラムは、ビードを受け取るための周方向エッジを決定し、前記ドラムセットの前記ドラムセグメントは、前記周方向エッジを延長及び収縮すべく、前記中心軸に対して半径方向に移動自在であり、前記ドラムセットは、前記ドラムセットがビードを受けるためのベース上に支持される操作位置と前記ドラムセットが前記ベースによって支持されない格納位置との間で移動自在となるよう配置され、前記ドラムセットは、互いに対して前記ドラムセットの前記ドラムセグメントを支持するための支持部材を更に含み、前記支持部材は、前記ドラムセットが前記操作位置にある場合、前記ドラムセグメントの半径方向の移動をガイドするためのガイドを具備しており、しかるに前記ドラムセットが前記格納位置にある場合、前記ガイドは前記支持部材への前記ドラムセットの前記ドラムセグメントを保持するために配置されているドラムセット。
【請求項２】
前記ドラムセグメントの重量は、前記操作位置及び／又は前記格納位置において、前記支持部材上に充分に支持されている請求項１に記載のドラムセット。
【請求項３】
前記ドラムセットは、同一のドラムセットに対して積み重ね可能である請求項１又は２に記載のドラムセット。
【請求項４】
前記ドラムセットは、同一のドラムセットに対して、前記ドラムセットの位置を割り出すためのインデクシング部を含んでいる請求項３に記載のドラムセット。
【請求項５】
前記ドラムセグメントは、マニピュレータによるハンドリングのためのハンドリング部材を具備している請求項１に記載のドラムセット。
【請求項６】
請求項１に記載の前記ドラムセットと、前記ドラムセットを支持するためのベースとを含む、タイヤ用のビードエイペックスを製造するためのアセンブリにおいて、前記ベースは、前記ベース上の前記操作位置で前記ドラムセットを装着するための１個又はそれ以上の装着部材を具備しているアセンブリ。
【請求項７】
前記ベース上の前記ドラムセットの前記操作位置で、前記支持部材は、前記ベースと前記複数のドラムセグメントとの間で、延在している請求項６に記載のアセンブリ。
【請求項８】
前記ベースは、前記ドラムセグメントの半径方向の運動を作動させるためのアクチュエータを含んでおり、前記アクチュエータは前記ドラムセグメントを直接駆動すべく、配置されている請求項６又は７に記載のアセンブリ。
【請求項９】
前記支持部材は、前記ドラムセグメントの半径方向の運動を作動させるためのアクチュエータを含んでおり、前記アクチュエータは前記ドラムセグメントを直接駆動すべく配置されており、前記アクチュエータに前記ドラムセグメントを直接駆動させるべく、アパチャを具備している請求項７及に記載のアセンブリ。
【請求項１０】
前記複数のドラムセグメントの各々は、前記支持部材における前記アパチャに向けて面する駆動輪を具備しており、アクチュエータは、前記ドラムセグメントの方向にテーパを有する円錐形を有しており、前記アクチュエータは、半径方向外側へ前記ドラムセグメントを変位させるべく、前記中心軸に平行な駆動方向へ移動自在である請求項８又は９に記載のアセンブリ。
【請求項１１】
前記アセンブリは、前記ドラムセグメントの周りで、同心的に延在するエイペックス支持面を更に含んでいる請求項６−１０の何れか一つに記載のアセンブリ。
【請求項１２】
前記支持部材は、前記周方向のエッジを超えて、半径方向外側に延在し、前記エイペックス支持面は、前記周方向のエッジを超えて半径方向外側に延在する前記支持部材の部分によって形成される請求項１１に記載のアセンブリ。
【請求項１３】
前記アセンブリは、前記ドラムセグメントの周りで同心的に適合するべく配置されている環状部材を含み、前記エイペックス支持面は、前記環状部材によって形成されている請求項１１に記載のアセンブリ。
【請求項１４】
前記環状部材は、前記支持部材に結合されるよう配置されている請求項１３に記載のアセンブリ。
【請求項１５】
前記環状部材は、前記ベースに装着されるよう配置されている請求項１３に記載のアセンブリ。
【請求項１６】
前記ドラムセットは、前記ドラムセグメントの数に等しい多数の支持セグメントを含み、各支持セグメントは、前記半径方向における前記各ドラムセグメントと共に移動するように、各ドラムセグメントに装着されており、前記エイペックス支持面は、前記支持セグメントによって形成されている請求項１１に記載のアセンブリ。
【請求項１７】
前記アセンブリは、請求項１に記載の複数のドラムセットを含む請求項６−１６の何れか一つに記載のアセンブリ。
【請求項１８】
前記アセンブリは、夫々の操作位置において、等しい数の前記複数のドラムセットを同時に支持するための複数のベースを含む請求項１７に記載のアセンブリ。
【請求項１９】
前記アセンブリは、タレット軸の回りに回転自在であるタレットを含み、前記複数のベースは、前記タレットに装着され、そして異なった製造ステーションを介して前記タレットによって回転されるように前記タレット軸の周りに分散されている請求項１８に記載のアセンブリ。
【請求項２０】
前記複数のドラムセットは、前記ベースの数に等しい、多数の同一のドラムセットを含む請求項１７−１９の何れか一つに記載のアセンブリ。
【請求項２１】
前記同一のドラムセットは、一束の同一のビードエイペックスの製造の間、使用されるよう配置されている、一群のドラムセットを形成する請求項２０に記載のアセンブリ。
【請求項２２】
複数のドラムセットを受けるための格納部材を更に含む請求項１７−２１の何れか一つに記載のアセンブリ。
【請求項２３】
前記格納部材は、同じ群のすべてドラムセットを受けるために配置されており、複数のドラムセットを受けるための格納部材を更に含む請求項２１に記載のアセンブリ。
【請求項２４】
同じ群のすべてドラムセットは、前記格納部材上に積み重ねられるよう配置されている請求項２３に記載のアセンブリ。
【請求項２５】
前記群の各ドラムセットは、前記群内において他のドラムセットに対して、前記ドラムセットの位置を割り出すためのインデクシング部を含んでいる請求項２４に記載のアセンブリ。
【請求項２６】
前記格納部材は、移動可能であり、そして前記ベースの近傍の製造ロケ―ションとより遠方の格納ロケ―ションとの間の経路を自立走行するために、配置されている請求項２２−２５の何れか一つに記載のアセンブリ。
【請求項２７】
前記アセンブリは、そのベースに対して、１個のドラムセットを装着及び取り外すために、マニピュレータを更に含んでいる請求項６−２６の何れか一つに記載のアセンブリ。
【請求項２８】
各ドラムセグメントは、ハンドリング部材を具備しており、前記マニピュレータは、前記ハンドリング部材を把持するための等しい数の把持部材を具備している請求項２７に記載のアセンブリ。
【請求項２９】
前記ハンドリング部材及び前記把持部材は、互いに整合し、相互に噛み合う、及び／又は相互に係合するフックとして形成されている請求項２８に記載のアセンブリ。
【請求項３０】
前記把持部材は、前記ドラムセットに対して、ビード又はビードエイペックスを配置及び／又は取り除くために、付加的に配置されている請求項２７又は２８に記載のアセンブリ。
【請求項３１】
前記ドラムセグメントは、前記ドラムセグメントの間の半径方向に延在しているアクセスチャンネルを形成すべく、周方向に相互に離隔しており、前記把持部材は、前記アクセスチャンネル内へ挿入され、且つ前記ドラムの前記周方向エッジにおけるビード又はビードエイペックスと係合するよう半径方向外側に移動するように、配置されている請求項３０に記載のアセンブリ。
【請求項３２】
前記ハンドリング部材は、前記アクセスチャンネルに対して前記周方向に段差を設けられており、前記マニピュレータは、前記ドラムの中心軸の回りで回転可能である、把持ヘッドを含んでおり、前記把持部材は、前記ドラムの前記中心軸の回りの前記把持ヘッドの回転が、前記把持部材を前記アクセスチャンネル又は前記ハンドリング部材の何れかに半径方向に位置合わせさせるように、前記把持ヘッド上に設けられている請求項３１に記載のアセンブリ。
【請求項３３】
前記マニピュレータは、ロボット又はロボットアームを含む請求項２７−３２の何れか一つに記載のアセンブリ。